(57)【要約】【課題】パラパラ用紙が何枚かまとまって捲れてしまったりすることもなく、誰でも簡単に、かつ安価な構成でパラパラアニメーョンを楽しむことができる。【解決手段】パラパラ捲り機において、パラパラ用紙を軸側のパラパラ用紙保持部に収め、軸側に対し回転可能に取り付けられ、捲り部が設けられている回転側を回転させることにより前記パラパラ用紙を押し曲げ、前記回転の更なる回転と押し曲げ力が解除されたパラパラ用紙の復元力によりパラパラアニメーションを見ることができるように構成した。パラパラ捲り機のパラパラ用紙保持部後方壁を、形状に沿って収められたパラパラ用紙先端の、用紙毎のズレ量が用紙の先頭面側ほど大きくなるように凸Ｒ形状に構成した。【選択図】        図１
2004180914.tif 000002
【特許請求の範囲】
【請求項１】
パラパラ用紙を軸側のパラパラ用紙保持部に収め、軸側に対し回転可能に取り付けられ、捲り部が設けられている回転側を回転させることにより前記パラパラ用紙を押し曲げ、前記回転側の更なる回転と押し曲げ力が解除されたパラパラ用紙の復元力によりパラパラアニメーションを見ることができるように構成したことを特徴とするパラパラ捲り機。
【請求項２】
前記パラパラ捲り機のパラパラ用紙保持部後方壁を、形状に沿って収められたパラパラ用紙先端の、用紙毎のズレ量が用紙の先頭面側ほど大きくなるように凸Ｒ形状にしたことを特徴とする請求項１記載のパラパラ捲り機。
【請求項３】
前記パラパラ捲り機の捲り部が一方向に屈曲可能に取り付けられていることを特徴とする請求項１記載のパラパラ捲り機。
【請求項４】
前記パラパラ捲り機の捲り部がローラー形状になっていることを特徴とする請求項１記載のパラパラ捲り機。
【発明の詳細な説明】
【０００１】
【発明の属する技術分野】
本発明は、パラパラアニメーションを楽しむためのパラパラ捲り機に関する。
【０００２】
【従来の技術】
従来、パラパラアニメーションを楽しむ場合には、図６に示すようにパラパラ用紙１２の絵や画像のある部分から離れた方の端部をクリップ２０で挟んだり（Ａ）、輪ゴムやＯリング２１で止めたり（Ｂ）、端部２２をノリ付けしたり（Ｃ）して固定し、図７に示すようにパラパラ用紙１２を少し折り曲げた上で親指２３の先端や爪先でパラパラ用紙１２の絵や画像のある側の先端部をＦ方向に滑らすことにより行なっていた。
【０００３】
【発明が解決しようとする課題】
しかしながら、上述の従来例においては、うまく親指の先端や爪先でパラパラ用紙の先端部を滑らすことが出来ず、パラパラ用紙が１枚ずつぱらぱらと捲れるのではなく、何枚かまとまって捲れてしまったりして、見たいようなアニメーションにはならず不都合を感じることがあった。
【０００４】
また、実開平０４−６０２９９号公報に示されるように、ホルダーを設けてパラパラ用紙保持部後方壁を傾斜させた場合にも、前記保持部後方壁の傾斜の具合によって、パラパラ用紙が１枚ずつぱらぱらと捲れるのではなく、何枚かまとまって捲れてしまったり、滑らす量が増えてかえって使いづらくなったりして不都合を感じることがあった。
【０００５】
本発明は、上述事情に鑑みてなされたものであり、誰でも簡単に、かつ安価な構成でパラパラアニメーションを楽しむことができるパラパラ捲り機を提供することを目的とするものである。
【０００６】
【課題を解決するための手段】
このため、本発明においては、パラパラ用紙を軸側のパラパラ用紙保持部に収め、軸側に対し回転可能に取り付けられ、捲り部が設けられている回転側を回転させることにより前記パラパラ用紙を押し曲げ、前記回転側の更なる回転と押し曲げ力が解除されたパラパラ用紙の復元力によりパラパラアニメーションを見ることができるように構成することにより、前記目的を達成しようとするものである。
【０００７】
【発明の実施の形態】
以下、図面に沿って、本発明の実施の形態について説明する。なお、各図面において、同一の符号を付したものは、同様の構成又は作用を有するものであり、これらについての重複説明は適宜省略するものとする。
【０００８】
＜実施の形態１＞
図１及び図２に、本発明に係わるパラパラ捲り機の斜視図及び三面図を示す。ここで、１は軸であり、しっかり手で保持するためのグリップ２とパラパラ用紙１２を保持するためのクリップベース８とクリップツマミ７からなるパラパラ用紙保持部が取り付けられている。この時、クリップベース８のパラパラ用紙保持部後方壁８ａは形状に沿って装着されたパラパラ用紙１２が押し曲げられた際の用紙毎のズレ量が用紙の先頭側ほど大きくなるように凸Ｒ形状にしてあり、コイルバネ１０によりクリップツマミ７が回転軸９を中心にＰ方向に付勢されながらクリップベース８に取り付けられているものとする。３は固定ピン６で軸１に対し回転可能に取り付けられた支柱であり、パラパラ用紙１２の捲り部１１と取っ手４及び取っ手用グリップ５が設けられている。この取っ手用グリップ５は操作しやすいように取っ手４に対し回転可能に取り付けられているものとする。
【０００９】
図３（Ａ）、（Ｂ）、（Ｃ）及び図４（Ａ）、（Ｂ）、（Ｃ）を用いて、パラパラ捲り機の使用方法を説明する。まず、図３（Ａ）に示すように、パラパラ用紙１２をＡ方向からクリップベース８のパラパラ用紙保持部８ａに後方壁の形状に沿わせる形で装着する。次に、図３（Ｂ）に示すように、支柱３をＣ方向に回転させ、捲り部１１がパラパラ用紙１２を通過した後にＤ方向に戻すことで、捲り部１１をパラパラ用紙１２の先頭面１２ｘに接触させる。ここで、支柱３がＣ方向に回転できるのは、図４（Ｂ）に示すように、Ｃ方向に回転させられた支柱３に対し、一方向に屈曲可能に取り付いている捲り部１１がパラパラ用紙１２にぶつかり、Ｅ方向に回転させられることでパラパラ用紙１２を乗り越えてしまうからであり、図４（Ｃ）に示すように、Ｄ方向に戻した際には捲り部１１は回転しないので、同じ方向のＤ‘方向にパラパラ用紙１２を押すことになる。また、図４（Ａ）に示すように、捲り部１１はコイルバネ（図示せず）等により回転軸１３を中心にＱ方向に付勢されながら支柱３に取り付けられているものとする。そして、図３（Ｃ）に示すように、支柱３を再度Ｄ方向にゆっくりと回転させることで、支柱３に取り付けられた捲り部１１にパラパラ用紙１２の先端は押し曲げられながら先頭面１２ｘ側から順々に押し曲げ力を外されるため、パラパラ用紙１２自身の復元力によってパラパラ用紙１２は一枚ずつ捲られ、パラパラアニメーションを楽しむことができる。
【００１０】
この図３（Ａ）、（Ｂ）、（Ｃ）の動作を順番に繰り返すことにより、手を持ちかえることもなく、何回も繰り返してパラパラアニメーションを楽しむことが出来る。
【００１１】
この時、図３（Ａ）に示すように、パラパラ用紙保持部８ａの後方壁は凸Ｒの形状をしているため、これに沿って挿入されたパラパラ用紙１２先端部の用紙毎のズレ量は用紙１２の先頭面１２ｘ側ほど大きくなっており、パラパラ用紙１２がＤ方向に押し曲げられた場合にはこの傾向はさらに強まる。前述のようにしてパラパラアニメーションを楽しむ場合においては、きっかけ部分の間隔が離れているためアニメーションにスムーズに入ることが出来る上、全体としてのズレ量はそんなに大きくならないため操作がしづらくなることもない。
【００１２】
＜実施の形態２＞
図５に、実施の形態２を示す。ここで、捲り部１１をローラー１４形状にすることで、押し曲げられたパラパラ用紙１２の先端を更にスムーズに滑らすことが出来る。
【００１３】
【発明の効果】
以上説明したように、本発明によると、パラパラ捲り機において、パラパラ用紙を軸側のパラパラ用紙保持部に収め、軸側に対し回転可能に取り付けられ、捲り部が設けられている回転側を回転させることにより前記パラパラ用紙を押し曲げ、前記回転側の更なる回転と押し曲げ力が解除されたパラパラ用紙の復元力によりパラパラアニメーションを見ることができるように構成したことと、パラパラ用紙保持部後方壁を、形状に沿って収められたパラパラ用紙先端の、用紙毎のズレ量が用紙の先頭面側ほど大きくなるように凸Ｒ形状にしたことにより、パラパラ用紙が何枚かまとまって捲れてしまったりすることもなく、誰でも簡単に、かつ安価な構成でパラパラアニメーションを楽しむことができる。
【図面の簡単な説明】
【図１】実施の形態１におけるパラパラ捲り機の構成を示す斜視図である。
【図２】実施の形態１におけるパラパラ捲り機の構成を示す三面図である。
【図３】本発明に係るパラパラ捲り機の説明図である。
【図４】本発明に係るパラパラ捲り機の説明図である。
【図５】実施の形態２におけるパラパラ捲り機の説明図である。
【図６】従来例におけるパラパラ捲りの説明図である。
【図７】従来例におけるパラパラ捲りの説明図である。
【符号の説明】
１  軸
２  グリップ
３  支柱
４  取っ手
５  取っ手用グリップ
６  固定ピン
７  クリップツマミ
８  クリップベース
８ａ  クリップベースのパラパラ用紙保持部
９  回転軸
１０  コイルバネ
１１  捲り部
１２  パラパラ用紙
１２ｘ  パラパラ用紙の先頭面
１３  回転軸
１４  ローラー
【図１】
2004180914.tif 000003
【図２】
2004180914.tif 000004
【図３】
2004180914.tif 000005
【図４】
2004180914.tif 000006
【図５】
2004180914.tif 000007
【図６】
2004180914.tif 000008
【図７】
2004180914.tif 000009